(57)【要約】【課題】複数のプロジェクタを使用してスタック、タイリング投影を行う場合であっても、情報処理装置にかかる負荷を軽減することができ、動画像等の大容量データを適切に表示することができるプロジェクションシステム、情報処理装置、情報処理プログラム、及びその記録媒体の提供。【解決手段】プロジェクションシステム１は、パソコン２と、２台のプロジェクタ３Ａ、及び３Ｂと、ＵＳＢケーブル４Ａ、及び４Ｂとを備える。パソコン２は、入力される画像ソースに対して各プロジェクタに共通する特性に応じた共通画像補正処理を行い出力用の画像データを生成する。プロジェクタ３Ａ、及び３Ｂは、各ＵＳＢケーブルにより伝送される画像データに対して各プロジェクタに個別の特性に応じた個別画像補正処理を行う。ＵＳＢケーブル４Ａ、及び４Ｂは、パソコン２で生成された画像データを各プロジェクタに伝送する。【選択図】図１
2008070397.tif 000002
【特許請求の範囲】
【請求項１】
入力される画像ソースに所定の画像処理を行い出力用の画像データを生成する情報処理
装置と、
信号伝送装置により伝送される画像データに基づいて光源から射出される光束を変調し
、拡大投射して画像を表示する複数のプロジェクタと、
前記情報処理装置、及び各プロジェクタ間を接続し、前記情報処理装置で生成された画
像データを各プロジェクタに伝送する前記信号伝送装置とを備えたプロジェクションシス
テムであって、
前記情報処理装置は、
前記各プロジェクタのそれぞれに適切な画像を表示させるために、前記画像ソースに対
して各プロジェクタに共通の画像補正処理を行った画像データを生成する共通画像補正処
理手段と、
前記共通画像補正処理手段により生成される画像データを所定の伝送データに変換し、
前記信号伝送装置を介して各プロジェクタに伝送する画像データ伝送手段とを備え、
前記各プロジェクタは、
前記伝送データを変換して画像データに復元する画像データ復元手段と、
前記画像データ復元手段により復元される画像データに対して当該各プロジェクタに応
じた個別の画像補正処理を行う個別画像補正処理手段とを備えることを特徴とするプロジ
ェクションシステム。
【請求項２】
請求項１に記載のプロジェクションシステムにおいて、
前記各プロジェクタの投射画像を、同一の投射領域に重畳させて表示するスタック投影
プロジェクションシステムであることを特徴とするプロジェクションシステム。
【請求項３】
請求項１に記載のプロジェクションシステムにおいて、
前記各プロジェクタから前記画像データに基づいて表示されるべき画像の部分画像を表
示させ、各部分画像を並列配置して１つの表示画像を形成するタイリング投影プロジェク
ションシステムであることを特徴とするプロジェクションシステム。
【請求項４】
請求項３に記載のプロジェクションシステムにおいて、
前記情報処理装置は、
前記画像データを各プロジェクタで表示させるべき部分画像データに分割する画像デー
タ分割手段を備えることを特徴とするプロジェクションシステム。
【請求項５】
請求項３に記載のプロジェクションシステムにおいて、
前記各プロジェクタは、
前記画像データを各プロジェクタで表示させるべき部分画像データに分割する画像デー
タ分割手段を備えることを特徴とするプロジェクションシステム。
【請求項６】
請求項３に記載のプロジェクションシステムにおいて、
前記各プロジェクタは、
前記画像データから各プロジェクタで表示すべき部分画像データを切り出す画像データ
切出手段を備えることを特徴とするプロジェクションシステム。
【請求項７】
入力される画像ソースに所定の画像処理を行い出力用の画像データを生成する情報処理
装置であって、
複数のプロジェクタのそれぞれに適切な画像を表示させるために、前記画像ソースに対
して各プロジェクタに共通の画像補正処理を行った画像データを生成する共通画像補正処
理手段と、
前記共通画像補正処理手段により生成される画像データを所定の伝送データに変換し、
信号伝送装置を介して各プロジェクタに伝送する画像データ伝送手段とを備えることを特
徴とする情報処理装置。
【請求項８】
入力される画像ソースに所定の画像処理を行い出力用の画像データを生成する情報処理
装置で実行される情報処理プログラムであって、
前記情報処理装置に、
複数のプロジェクタのそれぞれに適切な画像を表示させるために、前記画像ソースに対
して各プロジェクタに共通の画像補正処理を行った画像データを生成する共通画像補正処
理手順と、
前記共通画像補正処理手順により生成される画像データを所定の伝送データに変換し、
信号伝送装置を介して各プロジェクタに伝送する画像データ伝送手順とを実行させること
を特徴とする情報処理プログラム。
【請求項９】
請求項８に記載の情報処理プログラムを記録したことを特徴とするコンピュータに読み
取り可能な記録媒体。
【請求項１０】
情報処理装置により画像ソースに対して複数のプロジェクタに共通の画像補正処理が行
われた画像データに基づいて光源から射出される光束を変調し、拡大投射して画像を表示
するプロジェクタであって、
前記画像データに対して当該各プロジェクタに応じた個別の画像補正処理を行う個別画
像補正処理手段を備えることを特徴とするプロジェクタ。
【請求項１１】
情報処理装置により画像ソースに対して複数のプロジェクタに共通の画像補正処理が行
われた画像データに基づいて光源から射出される光束を変調し、拡大投射して画像を表示
するプロジェクタで実行されるプログラムであって、
前記プロジェクタに、
前記画像データに対して当該各プロジェクタに応じた個別の画像補正処理を行う個別画
像補正処理手順を実行させることを特徴とするプログラム。
【請求項１２】
請求項１１に記載のプログラムを記録したことを特徴とするコンピュータに読み取り可
能な記録媒体。
【発明の詳細な説明】
【技術分野】
【０００１】
本発明は、プロジェクションシステム、情報処理装置、情報処理プログラム、その記録
媒体、プロジェクタ、そのプログラム、及びその記録媒体に関する。
【背景技術】
【０００２】
従来、情報処理装置としてのパソコンに入力された画像ソースに対してパソコンの画像
処理部にて形状補正や色調補正等の画像補正処理を行い、プロジェクタが、この画像補正
処理された画像データをスクリーンに投射するプロジェクションシステムとしてのプロジ
ェクションシステムが知られている（例えば、特許文献１）。
なお、パソコンの画像処理部にて画像補正処理された画像データは、ＵＳＢケーブル等
の信号伝送装置を介してプロジェクタに伝送される。
【０００３】
画像補正処理としては、例えば、プロジェクタとスクリーンとの配置関係に起因して生
じる台形歪みを補正する台形補正（形状変換）や、プロジェクタの出力特性に応じた色補
正であるγ補正やＶＴ−γ補正、液晶パネルの特性による輝度ムラや色ムラを補正する色
ムラ補正、さらには、液晶パネルの各画素を駆動する際に駆動信号が近隣画素に影響して
生じる色ムラ（ゴーストやクロストーク）を補正するゴースト補正やクロストーク補正な
どが例として挙げられる。
【０００４】
このような構成によれば、画像補正処理を主としてパソコン上で行っており、プロジェ
クタは単に画像データを投影するだけで複雑な画像補正処理を行わないので、プロジェク
タの構成を非常に簡易にすることができる。また、元来、パソコンは、画像処理の機能を
有するので、特別にパソコンに新たな機能を付加することなく、高精度の画像補正処理を
行うことができる。
【０００５】
【特許文献１】特開２００４−６９９９６号公報
【発明の開示】
【発明が解決しようとする課題】
【０００６】
ところで、近年では、２台以上の複数のプロジェクタを使用して、各プロジェクタの投
射画像を、同一の投射領域に重畳させて高輝度な画像を表示するスタック投影、及び各プ
ロジェクタから画像データに基づいて表示されるべき画像の部分画像を表示させ、各部分
画像を並列配置して１つの表示画像を形成して高精彩な画像を表示するタイリング投影な
どの様々な投影方法が利用されている。
【０００７】
このような場合、特許文献１の方法では、複数のプロジェクタに伝送される画像データ
をパソコンの画像処理部にて画像補正処理するため、パソコンにかかる負荷が非常に大き
くなってしまい、高性能のパソコンを使用するか、複数のパソコンを使用する必要がある
という問題があった。
さらに、各プロジェクタに応じた個別の画像補正処理をも行った別々の画像データを各
プロジェクタに伝送する必要があるため、ＵＳＢケーブル等にかかる伝送負荷が大きくな
り、動画像等の大容量画像データを適切に表示することができないという問題があった。
【０００８】
本発明の目的は、複数のプロジェクタを使用してスタック、タイリング投影を行う場合
であっても、情報処理装置にかかる負荷を軽減することができ、動画像等の大容量データ
を適切に表示することができるプロジェクションシステム、情報処理装置、情報処理プロ
グラム、その記録媒体、プロジェクタ、そのプログラム、及びその記録媒体を提供するこ
とにある。
【課題を解決するための手段】
【０００９】
本発明のプロジェクションシステムは、入力される画像ソースに所定の画像処理を行い
出力用の画像データを生成する情報処理装置と、信号伝送装置により伝送される画像デー
タに基づいて光源から射出される光束を変調し、拡大投射して画像を表示する複数のプロ
ジェクタと、前記情報処理装置、及び各プロジェクタ間を接続し、前記情報処理装置で生
成された画像データを各プロジェクタに伝送する前記信号伝送装置とを備えたプロジェク
ションシステムであって、前記情報処理装置は、前記各プロジェクタのそれぞれに適切な
画像を表示させるために、前記画像ソースに対して各プロジェクタに共通の画像補正処理
を行った画像データを生成する共通画像補正処理手段と、前記共通画像補正処理手段によ
り生成される画像データを所定の伝送データに変換し、前記信号伝送装置を介して各プロ
ジェクタに伝送する画像データ伝送手段とを備え、前記各プロジェクタは、前記伝送デー
タを変換して画像データに復元する画像データ復元手段と、前記画像データ復元手段によ
り復元される画像データに対して当該各プロジェクタに応じた個別の画像補正処理を行う
個別画像補正処理手段とを備えることを特徴とする。
【００１０】
このような構成によれば、情報処理装置が共通画像補正処理手段を備えていることによ
り、各プロジェクタに共通の画像補正処理を一括して行うことができるため、プロジェク
ションシステム全体での画像補正処理を軽減することができる。
また、各プロジェクタが個別画像補正処理手段を備えていることにより、各プロジェク
タに応じた個別の画像補正処理を行うことができるため、スタック投影、タイリング投影
を行ってもプロジェクションシステム全体で適切な画像を表示させることができ、情報処
理装置にかかる負荷を軽減することができる。
【００１１】
さらに、各プロジェクタに、情報処理装置の共通画像補正処理手段により画像補正処理
された同一の画像データを伝送するから、信号伝送装置にかかる伝送負荷を軽減すること
ができ、動画像等の大容量画像データを適切に表示することができる。
【００１２】
本発明では、前記各プロジェクタの投射画像を、同一の投射領域に重畳させて表示する
スタック投影プロジェクションシステムであることが好ましい。
このような構成によれば、各プロジェクタが、情報処理装置から伝送される同一の画像
データに基づいて、各プロジェクタの投射画像を、同一の投射領域に重畳させて表示する
から、高輝度な画像を表示することができる。
【００１３】
本発明では、前記各プロジェクタから前記画像データに基づいて表示されるべき画像の
部分画像を表示させ、各部分画像を並列配置して１つの表示画像を形成するタイリング投
影プロジェクションシステムであることが好ましい。
このような構成によれば、各プロジェクタが、情報処理装置から伝送される画像データ
に基づいて表示されるべき画像の部分画像を表示させ、各部分画像を並列配置して１つの
表示画像を形成するから、高精彩な画像を表示することができる。
【００１４】
本発明では、前記情報処理装置は、前記画像データを各プロジェクタで表示させるべき
部分画像データに分割する画像データ分割手段を備えることを採用することができる。
このような構成によれば、画像データを部分画像データに分割する処理を情報処理装置
で行うことにより、各プロジェクタにおいて画像データを部分画像データに分割する処理
を行う必要がなく、各プロジェクタにかかる負荷を軽減することができる。
【００１５】
本発明では、前記各プロジェクタは、前記画像データを各プロジェクタで表示させるべ
き部分画像データに分割する画像データ分割手段を備えることを採用することができる。
このような構成によれば、画像データを部分画像データに分割する処理を各プロジェク
タで行うことにより、情報処理装置において画像データを部分画像データに分割する処理
を行う必要がなく、情報処理装置にかかる負荷を軽減することができる。
なお、画像データを部分画像データに分割する処理を、情報処理装置、または各プロジ
ェクタのいずれの装置で行うかは、プロジェクションシステムを構成する情報処理装置、
各プロジェクタ、及び信号伝送装置の機能や性能などに応じて決定すればよい。
【００１６】
本発明では、前記各プロジェクタは、前記画像データから各プロジェクタで表示すべき
部分画像データを切り出す画像データ切出手段を備えることが好ましい。
このような構成によれば、各プロジェクタが自身で表示する部分画像データを画像デー
タから切り出す処理を各プロジェクタそれぞれで行うことにより、情報処理装置において
画像データを部分画像データに分割する処理を行う必要がなく、情報処理装置にかかる負
荷を軽減することができる。
【００１７】
本発明の情報処理装置は、入力される画像ソースに所定の画像処理を行い出力用の画像
データを生成する情報処理装置であって、複数のプロジェクタのそれぞれに適切な画像を
表示させるために、前記画像ソースに対して各プロジェクタに共通の画像補正処理を行っ
た画像データを生成する共通画像補正処理手段と、前記共通画像補正処理手段により生成
される画像データを所定の伝送データに変換し、信号伝送装置を介して各プロジェクタに
伝送する画像データ伝送手段とを備えることを特徴とする。
【００１８】
このような構成によれば、前述したプロジェクションシステムの作用および効果と同様
の作用および効果を享受することができる。
また、本発明は、情報処理装置を動作させる情報処理プログラムとしても構成すること
ができ、さらには、このプログラムを記録したコンピュータに読み取り可能な記録媒体と
しても構成することができる。
【００１９】
本発明のプロジェクタは、情報処理装置により画像ソースに対して複数のプロジェクタ
に共通の画像補正処理が行われた画像データに基づいて光源から射出される光束を変調し
、拡大投射して画像を表示するプロジェクタであって、前記画像データに対して当該各プ
ロジェクタに応じた個別の画像補正処理を行う個別画像補正処理手段を備えることを特徴
とする。
【００２０】
このような構成によれば、前述したプロジェクションシステムの作用および効果と同様
の作用および効果を享受することができる。
また、本発明は、プロジェクタを動作させるプログラムとしても構成することができ、
さらには、このプログラムを記録したコンピュータに読み取り可能な記録媒体としても構
成することができる。
【発明を実施するための最良の形態】
【００２１】
以下、本発明の実施形態を図面に基づいて説明する。
〔第１実施形態〕
本発明の第１実施形態に係るプロジェクションシステムについて説明する。
【００２２】
本実施形態に係るプロジェクションシステム１は、図１に示すように、２台のプロジェ
クタの投射画像を、同一の投射領域に重畳させて表示するスタック投影プロジェクション
システムである。
プロジェクションシステム１は、パソコン（情報処理装置）２と、２台のプロジェクタ
３Ａ、及び３Ｂと、ＵＳＢケーブル（信号伝送装置）４Ａ、及び４Ｂとを備える。
プロジェクタ３Ａ、及び３Ｂは、パソコン２により生成される画像データに基づいて光
源から射出される光束を変調し、拡大投射してスクリーン５に画像を表示する。
【００２３】
パソコン２、及びプロジェクタ３Ａは、ＵＳＢケーブル４Ａを介して接続される。また
、プロジェクタ３Ａ、及びプロジェクタ３Ｂは、ＵＳＢケーブル４Ｂを介して接続される
。以下、このような接続方法を直列接続とする。
【００２４】
パソコン２は、図２に示すように、ＣＰＵ２０１、メインメモリ２０２、補助メモリ２
０３、ディスプレイ２０４、キーボード２０５、画像補正パラメータ記憶部２１、画像処
理部２２、及びＵＳＢコネクタ２３を備える。
補助メモリ２０３には、例えば、デジタルデータとして映像（画像ソース）と音声とを
記録したＤＶＤ（Ｄｉｇｉｔａｌ  Ｖｅｒｓａｔｉｌｅ  Ｄｉｓｃ）等のメディアが利用
される。
【００２５】
画像補正パラメータ記憶部２１は、プロジェクタ３Ａ、及び３Ｂのそれぞれに画像を適
切に表示させるために、画像ソースに対して各プロジェクタに共通の画像補正処理を行う
ための補正パラメータを記憶する。
【００２６】
なお、画像補正パラメータ記憶部２１は、これらの補正パラメータを記録したメモリカ
ードやＣＤ−ＲＯＭをパソコン２に挿入してインストールすることにより補正パラメータ
を記憶してもよい。
または、画像補正パラメータ記憶部２１は、パソコン２とプロジェクタ３ＡとをＵＳＢ
ケーブル４Ａで接続した際に、パソコン２が、プロジェクタ３Ａから取得した所定の補正
パラメータを記憶してもよい。
【００２７】
画像処理部２２は、画像生成部２２１と、画像補正演算処理部（共通画像補正処理手段
）２２４と、エンコーダ２２５とを備える。
【００２８】
画像生成部２２１は、デコーダ２２２およびＩＰ（Ｉｎｔｅｒｌａｃｅ  Ｐｒｏｇｒｅ
ｓｓｉｖｅ）変換部２２３を備え、補助メモリ２０３から読み出される画像ソースに対し
てその記録方式に応じた復号処理を行ってフレーム単位の画像データを復号する。
デコーダ２２２は、ＭＰＥＧ２等の形式で符号化された画像ソースを復号して画像デー
タを生成する。
ＩＰ変換部２２３は、ＮＴＳＣ、ＰＡＬ等のインターレス方式の画像ソースを、固定画
素型表示装置（液晶パネル等）用のプログレッシブ方式の画像データに変換する。
【００２９】
画像補正演算処理部２２４は、画像生成部２２１により復号された画像データに対して
画像補正パラメータ記憶部２１に記憶された補正パラメータに基づいて共通画像補正処理
を行う。
ここで、画像補正処理としては、例えば、プロジェクタの型式に応じた画像補正処理な
どの各プロジェクタに共通する特性に応じた画像補正処理（以下、共通画像補正処理とす
る）と、各プロジェクタに個別の特性に応じた画像補正処理（以下、個別画像補正処理と
する）とがある。
【００３０】
本実施形態においては、共通画像補正処理としては、解像度変換、輪郭強調、白黒伸長
、色変換、及びγ補正等の画像補正処理が該当する。
また、個別画像補正処理としては、形状変換、ＶＴ−γ補正、ゴースト補正、クロスト
ーク補正、色ムラ補正等の画像補正処理が該当する。
【００３１】
なお、プロジェクタの構成により、他の画素の影響を受けて起こる色ムラをクロストー
クまたはゴーストと称し、クロストークとは、隣の画素に対する信号の漏れ電流により画
素が駆動されることによる画像のムラであり、ゴーストとは、映像がずれて重なって見え
ることをいう。
【００３２】
エンコーダ２２５は、画像補正演算処理部２２４により画像補正処理された画像データ
に対し、画像フレーム間の差分を算出し、変化した部分を検出して差分データとする。
また、エンコーダ２２５は、検出した差分データを、ＵＳＢケーブル４Ａ、及び４Ｂに
より伝送可能な形式、例えば、ＵＳＢ２．０等の形式に符号化する。
【００３３】
ＵＳＢコネクタ２３は、データ入力部２３１と、データ出力部２３２とを備え、ＵＳＢ
ケーブル４Ａを介してパソコン２とプロジェクタ３Ａとのデータの入出力を行う。
なお、本実施形態においては、画像データ伝送手段は、エンコーダ２２５と、ＵＳＢコ
ネクタ２３とから構成される。
【００３４】
次に、プロジェクタ３Ａ、及び３Ｂの構成について説明する。
プロジェクタ３Ａ、及び３Ｂは、図３に示すように、画像補正パラメータ記憶部３１と
、画像処理部３２と、ＵＳＢコネクタ３３と、駆動制御部３５と、画像投射部３６とを備
える。
【００３５】
画像補正パラメータ記憶部３１は、送信用補正パラメータ記憶部３１１と、内部処理用
補正パラメータ記憶部３１２とを備える。
送信用補正パラメータ記憶部３１１は、パソコン２にて共通画像補正処理、すなわち、
解像度変換、輪郭強調、白黒伸長、色変換、及びγ補正等の画像補正処理を行うための補
正パラメータを記憶する。
内部処理用補正パラメータ記憶部３１２は、各プロジェクタにて個別画像補正処理、す
なわち、形状変換、ＶＴ−γ補正、ゴースト補正、クロストーク補正、色ムラ補正等の画
像補正処理を行うための補正パラメータを記憶する。
【００３６】
なお、前述したように、パソコン２の画像補正パラメータ記憶部２１は、パソコン２と
プロジェクタ３ＡとをＵＳＢケーブル４Ａで接続した際に、パソコン２が、プロジェクタ
３Ａの送信用補正パラメータ記憶部３１１からＵＳＢケーブル４Ａを介して取得した補正
パラメータを記憶する。
【００３７】
画像処理部３２は、画像生成部３２１と、画像補正演算処理部（個別画像補正処理手段
）３２４とを備える。
画像生成部（画像データ復元手段）３２１は、デコーダ３２２と、現画像生成部３２３
とを備える。
【００３８】
デコーダ３２２は、パソコン２から伝送される符号化した差分データを復調する。すな
わち、パソコン２から伝送される差分データは、エンコーダ２２５にて符号化されている
ところ、デコーダ３２２で復調することにより差分データが得られる。
現画像生成部３２３は、現在投影している画像データに対して復調された差分データを
合成して、新たに現画像フレームを生成する。
【００３９】
画像補正演算処理部３２４は、現画像生成部３２３により生成された現画像フレームに
対して内部処理用補正パラメータ記憶部３１２に記憶された補正パラメータに基づいて個
別画像補正処理、すなわち、形状変換、ＶＴ−γ補正、ゴースト補正、クロストーク補正
、色ムラ補正等の画像補正処理を行う。
駆動制御部３５は、画像補正処理された現画像フレームを表示するように画像投射部３
６を駆動する制御信号を出力する。
【００４０】
画像投射部３６は、図４に示すように、光源部３６１を備え、光源３６２からの光は、
リフレクタ３６３で平行光束にされ、二枚のレンズアレイ３６４、３６４を通って色分離
光学系３６５に進む。
色分離光学系３６５は、赤色を反射して青色および緑色を通過させるダイクロイックミ
ラー３６６と、緑色を反射して青色を通過させるダイクロイックミラー３６７とを備え、
光を赤色、緑色、青色に分離する。
【００４１】
そして、赤色は反射ミラー３６５Ａに反射され、緑色はダイクロイックミラー３６７に
反射され、青色は二枚の反射ミラー３６９、３７０を有するリレー光学系３６８に導かれ
、電気光学装置３７１の赤色用液晶パネル（光変調装置）３７２、緑色用液晶パネル（光
変調装置）３７３および青色用液晶パネル（光変調装置）３７４にそれぞれ入射する。各
色は、各液晶パネル３７２〜３７４において画像情報に応じた所定の変調を受けて、プリ
ズム３７５で合成される。
合成された画像は投射光学系３７６から射出され、スクリーン５に拡大投射される。
【００４２】
ＵＳＢコネクタ３３は、データ入力部３３１と、データ出力部３３２とを備え、ＵＳＢ
ケーブル４Ａを介してパソコン２とプロジェクタ３Ａとのデータの入出力を行い、ＵＳＢ
ケーブル４Ｂを介してプロジェクタ３Ａとプロジェクタ３Ｂとのデータの入出力を行う。
【００４３】
次に、本実施形態に係るプロジェクションシステム１の動作について図５のフローチャ
ートを参照して説明する。
ここで、図５中左側のＳＴ１〜ＳＴ７は、パソコン（ＰＣ）２の動作であり、図５中右
側のＳＴ８〜ＳＴ１３は、プロジェクタ（ＰＪ）３Ａ、及び３Ｂの動作である。
プロジェクションシステム１の使用者が、プロジェクションシステム１を直列接続する
と、パソコン２が、以下のＳＴ１からＳＴ７を実行する。
なお、プロジェクションシステム１の動作を実行させるプログラムは、パソコン２のメ
インメモリ２０２に記憶されている。
【００４４】
まず、パソコン２が、プロジェクタ３Ａ、及び３Ｂに接続されると、パソコン２は、各
プロジェクタの機器情報を各プロジェクタから受信する。
そして、ＳＴ１において、パソコン２が、プロジェクタ３Ａの送信用補正パラメータ記
憶部３１１から補正パラメータを読み出してＵＳＢケーブル４Ａを介して取得する。そし
て、画像補正パラメータ記憶部２１は、パソコン２が取得した補正パラメータを記憶する
。
【００４５】
次に、ＳＴ２において、画像生成部２２１は、補助メモリ２０３（例えば、ＤＶＤ）か
ら画像ソースを読み出す。
そして、ＳＴ３において、デコーダ２２２は、ＭＰＥＧ２等の形式で符号化された画像
ソースを復号して画像データを生成する。
【００４６】
次に、ＳＴ４において、画像補正演算処理部２２４は、画像生成部２２１により復号さ
れた画像データに対して共通画像補正処理を行う（共通画像補正処理手順）。本実施形態
においては、共通画像補正処理として解像度変換処理、輪郭強調処理、白黒伸長処理、色
変換処理、γ補正処理の各画像補正処理を行う。
【００４７】
次に、ＳＴ５において、エンコーダ２２５は、画像補正演算処理部２２４により画像補
正処理された画像データに対し、画像フレーム間の差分を算出し、変化した部分を検出し
て差分データとする。
【００４８】
次に、ＳＴ６において、エンコーダ２２５は、検出した差分データを符号化する。
そして、ＳＴ７において、パソコン２は、ＵＳＢケーブル４Ａを介して符号化した差分
データをプロジェクタ３Ａに伝送する。
なお、本実施形態においては、画像データ伝送手順は、ＳＴ５〜ＳＴ７である。
【００４９】
プロジェクタ３Ａは、符号化した差分データを受信すると、ＵＳＢケーブル４Ｂを介し
て符号化した差分データをプロジェクタ３Ｂに伝送する。
また、プロジェクタ３Ａ、及び３Ｂは、差分データを受信すると、以下のＳＴ８からＳ
Ｔ１３を実行する。
まず、ＳＴ８において、内部処理用補正パラメータ記憶部３１２は、プロジェクタ３Ａ
、及び３Ｂがスタック投影を行う際の表示位置、及び表示形状の調整に基づく形状変換を
行うための補正パラメータを記憶する。
【００５０】
次に、ＳＴ９において、デコーダ３２２は、パソコン２から伝送される符号化した差分
データを復調する。
そして、ＳＴ１０において、現画像生成部３２３は、現在投影している画像データに対
してデコーダ３２２により復調された差分データを合成して、新たに現画像フレームを生
成する。
【００５１】
次に、ＳＴ１１において、画像補正演算処理部３２４は、生成された現画像フレームに
個別画像補正処理を行う（個別画像補正処理手順）。本実施形態においては、個別画像補
正処理として形状変換処理、ＶＴ−γ補正処理、クロストーク補正処理、ゴースト補正処
理、色ムラ補正処理の各画像補正処理を行う。
【００５２】
次に、ＳＴ１２において、駆動制御部３５は、画像補正処理された現画像フレームを表
示するように制御信号を画像投射部３６に出力する。
そして、ＳＴ１３において、画像投射部３６は、スクリーン５に向けて画像を拡大投射
し、スクリーン５上に画像が表示される。
【００５３】
本実施形態に係るプロジェクションシステム１によれば、次のような効果がある。
（１）パソコン２が画像補正演算処理部２２４を備えていることにより、プロジェクタ３
Ａ、及び３Ｂに共通の画像補正処理を一括して行うことができるため、プロジェクション
システム１全体での画像補正処理を軽減することができる。
（２）プロジェクタ３Ａ、及び３Ｂが画像補正演算処理部３２４を備えていることにより
、各プロジェクタに応じた個別の画像補正処理を行うことができるため、スタック投影を
行ってもプロジェクションシステム１全体で適切な画像を表示させることができ、パソコ
ン２にかかる負荷を軽減することができる。
【００５４】
（３）プロジェクタ３Ａ、及び３Ｂが、パソコン２から伝送される同一の画像データに基
づいて、各プロジェクタの投射画像を、同一のスクリーン５に重畳させて表示するから、
高輝度な画像を表示することができる。
【００５５】
〔第２実施形態〕
本発明の第２実施形態に係るプロジェクションシステムについて説明する。
なお、以下の説明では、既に説明した部分については、同一符号を付してその説明を省
略する。
前記第１実施形態に係るプロジェクションシステム１は、パソコン２、プロジェクタ３
Ａ、及び３Ｂは、直列接続により接続されていたが、本実施形態に係るプロジェクション
システム１は、パソコン２、プロジェクタ３Ａ、及び３Ｂを接続する方法が異なる。
【００５６】
すなわち、図６に示すように、パソコン２、及びプロジェクタ３Ａは、ＵＳＢケーブル
４Ａを介して接続される。また、パソコン２、及びプロジェクタ３Ｂは、ＵＳＢケーブル
４Ｂを介して接続される。以下、このような接続方法を並列接続とする。
【００５７】
また、前記第１実施形態に係るプロジェクションシステム１は、２台のプロジェクタの
投射画像を、同一の投射領域に重畳させて表示するスタック投影プロジェクションシステ
ムであったが、本実施形態に係るプロジェクションシステム１は、２台のプロジェクタか
ら画像データに基づいて表示されるべき画像の部分画像を表示させ、各部分画像を並列配
置して１つの表示画像を形成するタイリング投影プロジェクションシステムである点で異
なる。
【００５８】
したがって、本実施形態に係るプロジェクションシステム１は、図７に示すように、パ
ソコン２の画像処理部２２が、画像データ分割部（画像データ分割手段）２２６を備える
。
画像データ分割部２２６は、プロジェクタ３Ａ、及び３Ｂがタイリング投影を行った際
に、各プロジェクタの投射画像を並列に配置してスクリーン５に１つの表示画像を形成す
るように、画像補正演算処理部２２４により画像補正処理された画像データの分割を行う
。すなわち、プロジェクタ３Ａが表示すべき部分画像の部分画像データと、プロジェクタ
３Ｂが表示すべき部分画像の部分画像データとを生成する。
【００５９】
なお、画像補正パラメータ記憶部２１は、画像データの分割を行うためのパラメータ（
画像データにおける各部分画像データの範囲の始点位置に関する始点座標、及び終点位置
に関する終点座標など）を記憶する。
ここで、画像補正パラメータ記憶部２１は、画像データの分割を行うためのパラメータ
を記録したメモリカードやＣＤ−ＲＯＭをパソコン２に挿入してインストールすることに
よりパラメータを記憶してもよい。
または、画像補正パラメータ記憶部２１は、パソコン２とプロジェクタ３Ａ、及び３Ｂ
とをＵＳＢケーブル４Ａ、及び４Ｂで接続した際に、パソコン２が、各プロジェクタから
取得した画像データの分割を行うためのパラメータを記憶してもよい。
なお、この場合には、各プロジェクタの送信用補正パラメータ記憶部３１１は、画像デ
ータの分割を行うためのパラメータを記憶する。
【００６０】
また、本実施形態に係るプロジェクションシステム１の動作については、図８のフロー
チャートに示すように、ＳＴ４１において、画像データ分割部２２６が、画像補正演算処
理部２２４により画像補正処理された画像データの分割を行う。そして、分割された各部
分画像データに対してＳＴ５以降の処理を行う。よって、ＳＴ７で送信される差分データ
は、第１実施形態では各プロジェクタに対して同じデータであったのに対して、本実施形
態では各プロジェクタそれぞれに対して異なるデータとなる。
【００６１】
このような本実施形態においても、前述の第１実施形態の（１）（２）と同様の作用、
効果を得ることができる。
さらに、プロジェクタ３Ａ、及び３Ｂが、パソコン２から伝送される画像データに基づ
いて表示されるべき画像の部分画像を表示させ、各部分画像を並列配置して１つの表示画
像を形成するから、高精彩な画像を表示することができる。
【００６２】
また、画像データを部分画像データに分割する処理をパソコン２で行うことにより、各
プロジェクタにおいて画像データを部分画像データに分割する処理を行う必要がなく、各
プロジェクタにかかる負荷を軽減することができる。
なお、本実施形態においては、画像補正演算処理部２２４により画像補正処理を行った
後、画像データの分割を行うようにしたが、画像データの分割を行った後、画像補正演算
処理部２２４により画像補正処理を行うようにしてもよい。
【００６３】
また、本実施形態においては、各プロジェクタで行う個別画像補正処理のうちの一部を
パソコン２で行うようにしてもよい。
この場合には、パソコン２が、各プロジェクタの内部処理用補正パラメータ記憶部３１
２から一部の補正パラメータを読み出して各ＵＳＢケーブルを介して取得する。そして、
画像補正パラメータ記憶部２１は、パソコン２が取得した一部の補正パラメータを記憶す
る。次に、画像データ分割部２２６が、画像補正演算処理部２２４により画像補正処理さ
れた画像データの分割を行った後、各部分画像データに対して、当該部分画像データを表
示するプロジェクタから取得した一部の補正パラメータに基づいて個別画像補正処理を行
うようにすればよい。
【００６４】
このように、個別画像補正処理のうちの一部をパソコン２で行うようにすれば、パソコ
ンとプロジェクタとの負荷のバランスを、それぞれの機能や性能などに応じて適切に決定
することができる。
特に、高機能なパソコン２を用いて画像補正処理を行う場合に有効であり、各プロジェ
クタにかかる負荷を軽減することができる。
【００６５】
〔第３実施形態〕
本発明の第３実施形態に係るプロジェクションシステムについて説明する。
前記第２実施形態に係るプロジェクションシステム１は、パソコン２の画像処理部２２
が、画像データ分割部２２６を備えていたが、本実施形態に係るプロジェクションシステ
ム１は、図９に示すように、プロジェクタ３Ａ、及び３Ｂが、画像データ分割部３２６を
備える点で異なる。
【００６６】
画像データ分割部３２６は、プロジェクタ３Ａ、及び３Ｂがタイリング投影を行った際
に、各プロジェクタの投射画像を並列に配置してスクリーン５に１つの表示画像を形成す
るように、各プロジェクタが、それぞれの投射画像の位置に基づいてパソコン２から伝送
される画像データの分割を行う。
また、本実施形態に係るプロジェクションシステム１の動作については、図１０のフロ
ーチャートに示すように、ＳＴ１０１Ａにおいて、画像データ分割部３２６が、現画像生
成部３２３により生成された現画像フレームの分割を行う。
そして、分割した部分画像データのうち、自身が表示する部分画像データに対して、Ｓ
１１において、画像補正演算処理部３２４により個別画像補正処理を行う。
なお、Ｓ１２以降の処理については前記第１実施形態で説明したとおりである。
【００６７】
このような本実施形態においても、前述の第１実施形態の（１）（２）と同様の作用、
効果を得ることができる。
さらに、プロジェクタ３Ａ、及び３Ｂが、パソコン２から伝送される画像データに基づ
いて表示されるべき画像の部分画像を表示させ、各部分画像を並列配置して１つの表示画
像を形成するから、高精彩な画像を表示することができる。
また、画像データを部分画像データに分割する処理をプロジェクタ３Ａ、及び３Ｂで行
うことにより、パソコン２において画像データを部分画像データに分割する処理を行う必
要がなく、パソコン２にかかる負荷を軽減することができる。
【００６８】
〔第４実施形態〕
本発明の第４実施形態に係るプロジェクションシステムについて説明する。
前記第４実施形態に係るプロジェクションシステム１は、プロジェクタ３Ａ、及び３Ｂ
が、画像データ分割部３２６を備えていたが、本実施形態に係るプロジェクションシステ
ム１は、図１１に示すように、プロジェクタ３Ａ、及び３Ｂが、画像データ切出部（画像
データ切出手段）３２７を備える点で異なる。
【００６９】
画像データ切出部３２７は、プロジェクタ３Ａ、及び３Ｂがタイリング投影を行った際
に、各プロジェクタの投射画像を並列に配置してスクリーン５に１つの表示画像を形成す
るように、各プロジェクタが、それぞれの投射画像の位置に基づいてパソコン２から伝送
される画像データの切り出しを行う。
また、本実施形態に係るプロジェクションシステム１の動作については、図１２のフロ
ーチャートに示すように、ＳＴ１０１Ｂにおいて、画像データ切出部３２７が、現画像生
成部３２３により生成された現画像フレームに対して画像データの切り出しを行う。
【００７０】
ここで、内部処理用補正パラメータ記憶部３１２は、切り出しを行うためのパラメータ
（以下、切出パラメータとする）を記憶する。
切出パラメータとしては、図１３に示すように、画像データにおける部分画像データの
範囲の始点位置に関する始点座標と、拡大率とで構成されたパラメータが例示できる。
【００７１】
ここで、始点座標は、切出開始位置として、例えば、切り出す矩形領域の左上部を指定
するための座標Ｐ（例えば、Ｐ１，Ｐ２）である。また、拡大率は、切り出された画像デ
ータの拡大率を定めるもので、図１３に示すように、画像データＤ０の水平解像度をＷ、
垂直解像度をＨ、切り出す矩形領域の水平解像度をｗ、垂直解像度をｈとすると、拡大率
Ｚは、Ｚ＝Ｗ／ｗ＝Ｈ／ｈと表すことができる。
なお、本実施形態では、原画像データのアスペクト比と、切り出す矩形領域のアスペク
ト比とが同一であるものとしている。また、拡大率Ｚ（Ｚ１，Ｚ２）＝２としている。
【００７２】
より具体的には、プロジェクタ３Ａの画像データ切出部３２７は、以下に示すように、
ＳＴ１０１Ｂを実行することで、部分画像データＤ１（図１３）を生成する。
すなわち、ＳＴ１０１Ｂにおいて、画像データ切出部３２７は、内部処理用補正パラメ
ータ記憶部３１２に記憶される切出パラメータである始点座標Ｐ１（０、０）、および拡
大率Ｚ１に基づいて、終点座標Ｑ１（Ｗ、Ｈ／２）を算出する。そして、画像データ切出
部３２７は、画像データＤ０から読み出した始点座標Ｐ１、および算出した終点座標Ｑ１
で設定される切出範囲の画像データＤ１Ａを切り出す。この後、ＳＴ１０１Ｂにおいて、
画像データ切出部３２７は、切り出した画像データＤ１Ａに対して、拡大率Ｚ１で拡大を
実施することで、部分画像データＤ１を生成する。
【００７３】
また、プロジェクタ３Ｂの画像データ切出部３２７は、以下に示すように、ＳＴ１０１
Ｂを実行することで、部分画像データＤ２（図１３）を生成する。
すなわち、ＳＴ１０１Ｂにおいて、画像データ切出部３２７は、内部処理用補正パラメ
ータ記憶部３１２に記憶される切出パラメータである始点座標Ｐ２（０、Ｈ／２）、およ
び拡大率Ｚ２（図１３）に基づいて、終点座標Ｑ２（Ｗ、Ｈ）を算出する。そして、画像
データ切出部３２７は、画像データＤ０から読み出した始点座標Ｐ２、および算出した終
点座標Ｑ２で設定される切出範囲の画像データＤ２Ａを切り出す。この後、ＳＴ１０１Ｂ
において、画像データ切出部３２７は、切り出した画像データＤ２Ａに対して、拡大率Ｚ
２で拡大を実施することで、部分画像データＤ２を生成する。
【００７４】
そして、生成した部分画像データに対して、Ｓ１１において、画像補正演算処理部３２
４により個別画像補正処理を行う。
なお、Ｓ１２以降の処理については前記第１実施形態で説明したとおりである。
【００７５】
このような本実施形態においても、前述の第１実施形態の（１）（２）と同様の作用、
効果を得ることができる。
さらに、プロジェクタ３Ａ、及び３Ｂが、パソコン２から伝送される画像データに基づ
いて表示されるべき画像の部分画像を表示させ、各部分画像を並列配置して１つの表示画
像を形成するから、高精彩な画像を表示することができる。
また、各プロジェクタが自身で表示する部分画像データを画像データから切り出す処理
をプロジェクタ３Ａ、及び３Ｂそれぞれで行うことにより、パソコン２において画像デー
タを部分画像データに分割する処理を行う必要がなく、パソコン２にかかる負荷を軽減す
ることができる。
【００７６】
なお、本発明は前記実施形態に限定されるものではなく、本発明の目的を達成できる範
囲での変形、改良等は本発明に含まれるものである。
例えば、プロジェクタ３Ａ、及び３Ｂは、直列接続によりスタック投影を行っていたが
、並列接続によりスタック投影を行ってもよく、要するに、情報処理装置の共通画像補正
処理部により画像補正処理された画像データを、信号伝送装置を介して受信することがで
きればよい。
また、２台のプロジェクタ３Ａ、及び３Ｂを使用してスタック投影、タイリング投影を
行っていたが、２台以上のプロジェクタを使用してもよく、要するに、プロジェクション
システムを使用する環境などに応じて使用台数を決定すればよい。
【００７７】
また、タイリング投影においては、プロジェクタ３Ａ、及び３Ｂが投影する各部分画像
が重なり合うことなく各部分画像によって１つの表示画像を形成するものとしたが、これ
に限らず、各部分画像の一部が重なり合うことで１つの表示画像を形成するものとしても
よい。
この際、部分画像の重なり領域の明るさを調整して、重なり領域を目立ちにくくするこ
とが好ましい。例えば、部分画像の重なり領域の明るさを光学的に調整、すなわち、拡大
投射される部分画像の一部の光量を遮光板により調整する。また、例えば、部分画像デー
タにおける重なり領域に対応する画像データに対して、明るさ（輝度や色）を調整する画
像補正処理を行う。
【００７８】
また、共通画像補正処理、及び個別画像補正処理としては、前記実施形態に例として挙
げた以外の処理を行ってもよく、さらに、前記実施形態に例として挙げた処理であっても
必要に応じて共通画像補正処理とするか、個別画像補正処理とするかを変更してもよい。
すなわち、例えば、各プロジェクタにレンズシフト機能が搭載され、スタック投影、タ
イリング投影を行う際にレンズシフト機能により投影画像を平行移動することができるよ
うな場合には、スクリーンの傾きなど共通の原因により画像補正処理が必要となるため、
形状変換は、共通画像補正処理とすることができる。
【００７９】
また、情報処理装置は、パソコン２を使用していたが、例えば、ボードコンピュータな
どを使用してもよく、要するに、入力される画像ソースに所定の画像処理を行い出力用の
画像データを生成することができればよい。
また、信号伝送装置は、ＵＳＢケーブル４Ａ、及び４Ｂを使用していたが、例えば、Ｉ
ＥＥＥ１３９４ケーブルやＤＶＩケーブルなどを使用してもよく、さらに、無線の信号伝
送装置であってもよく、要するに、情報処理装置により生成される画像データを伝送する
ことができればよい。
【００８０】
また、エンコーダ２２５は、画像フレーム間の差分を算出し、変化した部分を検出して
差分データとし、これを伝送データとしていたが、他のデータ形式であってもよく、さら
に、画像データをそのまま伝送データとしてもよく、要するに、各プロジェクタに画像デ
ータを、信号伝送装置を介して送信することができればよい。
【図面の簡単な説明】
【００８１】
【図１】本発明の第１実施形態におけるプロジェクションシステムの直列接続を示す外観図である。
【図２】同パソコンの機能ブロック図である。
【図３】同プロジェクタの機能ブロック図である。
【図４】同プロジェクタの画像投射部の構成を示す図である。
【図５】同プロジェクションシステムの動作を示すフローチャートである。
【図６】本発明の第２実施形態におけるプロジェクションシステムの並列接続を示す外観図である。
【図７】同パソコンの機能ブロック図である。
【図８】同プロジェクションシステムの動作を示すフローチャートである。
【図９】本発明の第３実施形態におけるプロジェクタの機能ブロック図である。
【図１０】同プロジェクションシステムの動作を示すフローチャートである。
【図１１】本発明の第４実施形態におけるプロジェクタの機能ブロック図である。
【図１２】同プロジェクションシステムの動作を示すフローチャートである。
【図１３】同画像データ切出部にて実施される部分画像データ切出処理を示す図である。
【符号の説明】
【００８２】
１…プロジェクションシステム、２…パソコン、３Ａ…プロジェクタ、３Ｂ…プロジェ
クタ、４Ａ…ＵＳＢケーブル、４Ｂ…ＵＳＢケーブル、５…スクリーン、２１…画像補正
パラメータ記憶部、２２…画像処理部、２３…ＵＳＢコネクタ、３１…画像補正パラメー
タ記憶部、３２…画像処理部、３３…ＵＳＢコネクタ、２２４…画像補正演算処理部、２
２５…エンコーダ、２２６…画像データ分割部、３１１…送信用補正パラメータ記憶部、
３１２…内部処理用補正パラメータ記憶部、３２４…画像補正演算処理部、３２６…画像
データ分割部、３２７…画像データ切出部、ＳＴ４…共通画像補正処理手順、ＳＴ５〜Ｓ
Ｔ７…画像データ伝送手順、ＳＴ１１…個別画像補正処理手順。
【図１】
2008070397.tif 000003
【図２】
2008070397.tif 000004
【図３】
2008070397.tif 000005
【図４】
2008070397.tif 000006
【図５】
2008070397.tif 000007
【図６】
2008070397.tif 000008
【図７】
2008070397.tif 000009
【図８】
2008070397.tif 000010
【図９】
2008070397.tif 000011
【図１０】
2008070397.tif 000012
【図１１】
2008070397.tif 000013
【図１２】
2008070397.tif 000014
【図１３】
2008070397.tif 000015
【手続補正書】
【提出日】平成19年10月23日(2007.10.23)
【手続補正１】
【補正対象書類名】特許請求の範囲
【補正対象項目名】全文
【補正方法】変更
【補正の内容】
【特許請求の範囲】
【請求項１】
プロジェクションシステムであって、
信号伝送装置により伝送される画像データに基づいて光源から射出される光束を変調し、拡大投射して画像を表示する複数のプロジェクタであって、
前記伝送データを変換して画像データに復元する画像データ復元手段と、
前記画像データ復元手段により復元される画像データに対して当該各プロジェクタに応じた個別の画像補正処理を行う個別画像補正処理手段と、
を備えるプロジェクタと、
情報処理装置、及び各プロジェクタ間を接続し、前記情報処理装置で生成された画像データを各プロジェクタに伝送する前記信号伝送装置と、
入力される画像ソースに所定の画像処理を行い出力用の画像データを生成する前記情報処理装置であって、
前記各プロジェクタのそれぞれに適切な画像を表示させるために、前記画像ソースに対して各プロジェクタに共通の画像補正処理を行った画像データを生成する共通画像補正処理手段と、
前記共通画像補正処理手段により生成される画像データを所定の伝送データに変換し、前記信号伝送装置を介して各プロジェクタに伝送する画像データ伝送手段と、
を備える情報処理装置と、
を備えるプロジェクションシステム。
【請求項２】
請求項１に記載のプロジェクションシステムにおいて、
前記各プロジェクタの投射画像を、同一の投射領域に重畳させて表示するスタック投影プロジェクションシステムであることを特徴とするプロジェクションシステム。
【請求項３】
請求項１に記載のプロジェクションシステムにおいて、
前記各プロジェクタから前記画像データに基づいて表示されるべき画像の部分画像を表示させ、各部分画像を並列配置して１つの表示画像を形成するタイリング投影プロジェクションシステムであることを特徴とするプロジェクションシステム。
【請求項４】
請求項３に記載のプロジェクションシステムにおいて、
前記情報処理装置は、
前記画像データを各プロジェクタで表示させるべき部分画像データに分割する画像データ分割手段を備えることを特徴とするプロジェクションシステム。
【請求項５】
請求項３に記載のプロジェクションシステムにおいて、
前記各プロジェクタは、
前記画像データを各プロジェクタで表示させるべき部分画像データに分割する画像データ分割手段を備えることを特徴とするプロジェクションシステム。
【請求項６】
請求項３に記載のプロジェクションシステムにおいて、
前記各プロジェクタは、
前記画像データから各プロジェクタで表示すべき部分画像データを切り出す画像データ切出手段を備えることを特徴とするプロジェクションシステム。
【請求項７】
情報処理装置であって、
複数のプロジェクタのそれぞれに適切な画像を表示させるために、入力される画像ソースに対して各プロジェクタに共通の画像補正処理を行った画像データを生成する共通画像補正処理手段と、
前記共通画像補正処理手段により生成される画像データを所定の伝送データに変換し、信号伝送装置を介して各プロジェクタに伝送する画像データ伝送手段とを備えることを特徴とする情報処理装置。
【請求項８】
情報処理装置で実行される情報処理プログラムであって、
前記情報処理装置に、
複数のプロジェクタのそれぞれに適切な画像を表示させるために、入力される画像ソースに対して各プロジェクタに共通の画像補正処理を行った画像データを生成する共通画像補正処理手順と、
前記共通画像補正処理手順により生成される画像データを所定の伝送データに変換し、信号伝送装置を介して各プロジェクタに伝送する画像データ伝送手順とを実行させることを特徴とする情報処理プログラム。
【請求項９】
請求項８に記載の情報処理プログラムを記録したことを特徴とするコンピュータに読み取り可能な記録媒体。
【請求項１０】
プロジェクタであって、
情報処理装置において画像ソースに対して複数のプロジェクタに共通の画像補正処理が行われた画像データに基づいて光源から射出される光束を変調し、拡大投射して画像を表示する画像投射部と、
前記画像データに対して当該各プロジェクタに応じた個別の画像補正処理を行う個別画像補正処理手段を備えることを特徴とするプロジェクタ。
【請求項１１】
プロジェクタで実行されるプログラムであって、
前記プロジェクタは、
情報処理装置において画像ソースに対して複数のプロジェクタに共通の画像補正処理が行われた画像データに基づいて光源から射出される光束を変調し、拡大投射して画像を表示する画像投射部を有し、
前記プロジェクタに、
前記画像データに対して当該各プロジェクタに応じた個別の画像補正処理を行う個別画像補正処理手順を実行させることを特徴とするプログラム。
【請求項１２】
請求項１１に記載のプログラムを記録したことを特徴とするコンピュータに読み取り可能な記録媒体。
【手続補正２】
【補正対象書類名】明細書
【補正対象項目名】００３８
【補正方法】変更
【補正の内容】
【００３８】
デコーダ３２２は、パソコン２から伝送される符号化した差分データを復調する。すなわち、パソコン２から伝送される差分データは、エンコーダ２２５にて符号化されているところ、デコーダ３２２で復調することにより差分データが得られる。
現画像生成部３２３は、現在投影している画像データに対して復号された差分データを合成して、新たに現画像フレームを生成する。
【手続補正３】
【補正対象書類名】明細書
【補正対象項目名】００４０
【補正方法】変更
【補正の内容】
【００４０】
画像投射部３６は、図４に示すように、光源部３６１を備え、光源３６２からの光は、リフレクタ３６３で平行光束にされ、二枚のレンズアレイ３６４、３６４を通って色分離光学系３６５に進む。
色分離光学系３６５は、赤色光を反射して青色光および緑色光を通過させるダイクロイックミラー３６６と、緑色光を反射して青色光を通過させるダイクロイックミラー３６７とを備え、光を赤色光、緑色光、青色光に分離する。
【手続補正４】
【補正対象書類名】明細書
【補正対象項目名】００６８
【補正方法】変更
【補正の内容】
【００６８】
〔第４実施形態〕
本発明の第４実施形態に係るプロジェクションシステムについて説明する。
前記第３実施形態に係るプロジェクションシステム１は、プロジェクタ３Ａ、及び３Ｂが、画像データ分割部３２６を備えていたが、本実施形態に係るプロジェクションシステム１は、図１１に示すように、プロジェクタ３Ａ、及び３Ｂが、画像データ切出部（画像データ切出手段）３２７を備える点で異なる。